(57)【要約】【課題】通信端末がアクセスするネットワークを変更した場合においても、ネットワークを集中制御する制御装置と通信端末との間で通信チャネルを確立できるようにすること。【解決手段】パケットの処理方法を規定した処理規則を生成する制御装置を含むネットワークと通信する通信端末は、前記ネットワークとの間のコネクション生成を要求する際、前記制御装置のアドレスを要求する要求手段と、前記アドレスの要求により取得したアドレスに基づいて、前記制御装置との間に通信チャネルを確立する通信手段と、前記通信チャネルを介して前記制御装置から送信された処理規則に基づいて、パケットを処理する処理手段と、を備える。【選択図】図２
2014531780.tif 000002
【特許請求の範囲】
【請求項１】
パケットの処理方法を規定した処理規則を生成する制御装置を含むネットワークと通信する通信端末であって、
前記ネットワークとの間のコネクション生成を要求する際、前記制御装置のアドレスを要求する要求手段と、
前記アドレスの要求により取得したアドレスに基づいて、前記制御装置との間に通信チャネルを確立する通信手段と、
前記通信チャネルを介して前記制御装置から送信された処理規則に基づいて、パケットを処理する処理手段と、を備えることを特徴とする通信端末。
【請求項２】
前記要求手段は、ネットワークとの間のコネクション生成の要求に対する応答により、前記制御装置のアドレスを取得することを特徴とする、請求項１に記載の通信端末。
【請求項３】
前記通信手段は、所定の条件に応じて、前記アドレスを解放することを特徴とする、請求項１または２に記載の通信端末。
【請求項４】
前記通信手段は、前記通信端末が第１のネットワークから第２のネットワークに移動する際、前記アドレスを解放することを特徴とする、請求項１ないし３のいずれか１項に記載の通信端末。
【請求項５】
前記通信手段は、前記通信端末が前記ネットワークとのコネクションを切断する際、前記アドレスを解放することを特徴とする、請求項１ないし３のいずれか１項に記載の通信端末。
【請求項６】
前記通信手段は、前記ネットワークとの間のコネクションの切断要因に応じて、前記アドレスを解放するか否かを判定することを特徴とする、請求項１ないし３のいずれか１項に記載の通信端末。
【請求項７】
前記処理手段は、所定の条件に応じて、前記制御装置から設定された少なくとも１つの処理規則を解放することを特徴とする、請求項１ないし６のいずれか１項に記載の通信端末。
【請求項８】
前記処理手段は、前記通信端末が第１のネットワークから第２のネットワークに移動する際、該第１のネットワークに属する制御装置から設定された処理規則を解放することを特徴とする、請求項１ないし７のいずれか１項に記載の通信端末。
【請求項９】
前記処理手段は、前記通信端末が前記ネットワークとのコネクションを切断する際、前記ネットワークに属する制御装置から設定された処理規則を解放することを特徴とする、請求項１ないし７のいずれか１項に記載の通信端末。
【請求項１０】
前記処理手段は、前記ネットワークとの間のコネクションの切断要因に応じて、前記処理規則を解放するか否かを判定することを特徴とする、請求項１ないし７のいずれか１項に記載の通信端末。
【請求項１１】
前記要求手段は、前記通信端末が前記アドレスを保持しているか否かを通知することを特徴とする、請求項１ないし１０のいずれか１項に記載の通信端末。
【請求項１２】
前記要求手段は、前記通信端末が前記アドレスを保持しているか否かを示す情報を、前記アドレスの要求に含めることを特徴とする、請求項１ないし１１のいずれか１項に記載の通信端末。
【請求項１３】
前記要求手段は、前記通信端末が前記アドレスを保持している場合、前記アドレスの要求を抑止することを特徴とする、請求項１ないし１２のいずれか１項に記載の通信端末。
【請求項１４】
パケットの処理方法を規定した処理規則を生成する制御装置を含むネットワークと通信する通信端末による通信方法であって、
前記ネットワークとの間のコネクション生成を要求する際、前記制御装置のアドレスを要求し、
前記アドレスの要求により取得したアドレスに基づいて、前記制御装置との間に通信チャネルを確立し、
前記通信チャネルを介して前記制御装置から送信された処理規則に基づいて、パケットを処理する、ことを特徴とする通信方法。
【請求項１５】
前記通信端末が、ネットワークとの間のコネクション生成の要求に対する応答により、前記制御装置のアドレスを取得することを特徴とする、請求項１４に記載の通信方法。
【請求項１６】
前記通信端末が、所定の条件に応じて、前記アドレスを解放することを特徴とする、請求項１４または１５に記載の通信方法。
【請求項１７】
前記通信端末が第１のネットワークから第２のネットワークに移動する際、前記アドレスを解放することを特徴とする、請求項１４ないし１６のいずれか１項に記載の通信方法。
【請求項１８】
前記通信端末が前記ネットワークとのコネクションを切断する際、前記アドレスを解放することを特徴とする、請求項１４ないし１６のいずれか１項に記載の通信方法。
【請求項１９】
前記通信端末が、前記ネットワークとの間のコネクションの切断要因に応じて、前記アドレスを解放するか否かを判定することを特徴とする、請求項１４ないし１６のいずれか１項に記載の通信方法。
【請求項２０】
前記通信端末が、所定の条件に応じて、制御装置から設定された少なくとも１つの処理規則を解放することを特徴とする、請求項１４ないし１９のいずれか１項に記載の通信方法。
【請求項２１】
前記通信端末が第１のネットワークから第２のネットワークに移動する際、前記第一のネットワークに属する制御装置から設定された処理規則を解放することを特徴とする、請求項１４ないし２０のいずれか１項に記載の通信方法。
【請求項２２】
前記通信端末が前記ネットワークとのコネクションを切断する際、前記ネットワークに属する制御装置から設定された処理規則を解放することを特徴とする、請求項１４ないし２０のいずれか１項に記載の通信方法。
【請求項２３】
前記通信端末が、前記ネットワークとの間のコネクションの切断要因に応じて、前記処理規則を解放するか否かを判定することを特徴とする、請求項１４ないし２０のいずれか１項に記載の通信方法。
【請求項２４】
前記通信端末は、前記通信端末が前記アドレスを保持しているか否かを通知することを特徴とする、請求項１４ないし２３のいずれか１項に記載の通信方法。
【請求項２５】
前記通信端末は、前記通信端末が前記アドレスを保持しているか否かを示す情報を、前記アドレスの要求に含めることを特徴とする、請求項１４ないし２４のいずれか１項に記載の通信方法。
【請求項２６】
前記通信端末は、前記通信端末が前記アドレスを保持している場合、前記アドレスの要求を抑止することを特徴とする、請求項１４ないし２５のいずれか１項に記載の通信方法。
【請求項２７】
パケットの処理方法を規定した処理規則を生成する制御装置を含むネットワークと、
前記ネットワークと通信する通信端末と、を備え、
前記通信端末は、前記ネットワークとの間のコネクション生成を要求する際、前記制御装置のアドレスを要求する要求手段と、
前記アドレスの要求により取得したアドレスに基づいて、前記制御装置との間に通信チャネルを確立する通信手段と、
前記通信チャネルを介して前記制御装置から送信された処理規則に基づいて、パケットを処理する処理手段と、をさらに備えることを特徴とする通信システム。
【請求項２８】
パケットの処理方法を規定した処理規則を生成する制御装置を含むネットワークと通信する通信端末に設けられたコンピュータに対して、
前記ネットワークとの間のコネクション生成を要求する際、前記制御装置のアドレスを要求する処理と、
前記アドレスの要求により取得したアドレスに基づいて、前記制御装置との間に通信チャネルを確立する処理と、
前記通信チャネルを介して前記制御装置から送信された処理規則に基づいて、パケットを処理する処理と、を実行させることを特徴とするプログラム。
【発明の詳細な説明】
【技術分野】
【０００１】
（関連出願についての記載）
本発明は、日本国特許出願：特願２０１１−１９０２９４号（２０１１年９月１日出願）の優先権主張に基づくものであり、同出願の全記載内容は引用をもって本書に組み込み記載されているものとする。
本発明は、通信端末、通信方法、通信システムおよびプログラムに関し、特に、制御装置によって集中制御されるネットワークにおける通信端末、通信方法、通信システムおよびプログラムに関する。
【背景技術】
【０００２】
近年、集中制御型のネットワークアーキテクチャが提案されている。集中制御型のネットワークアーキテクチャの例として、オープンフロー（ＯｐｅｎＦｌｏｗ）という技術がある（特許文献１、非特許文献１、２参照）。
【０００３】
オープンフローは、通信をエンドツーエンドのフローとして捉え、フロー単位で経路制御、障害回復、負荷分散、最適化を行う。非特許文献２に仕様化されているオープンフロースイッチは、制御装置に相当するオープンフローコントローラとの通信用のセキュアチャネルを備え、オープンフローコントローラから追加または書き換えを適宜指示されるフローテーブルに従って動作する。フローテーブルには、フロー毎に、パケットヘッダと照合するマッチングルール（ヘッダフィールド）と、フロー統計情報（Ｃｏｕｎｔｅｒｓ）と、処理内容を定義したアクション（Ａｃｔｉｏｎｓ）との組が定義される（図１１参照）。
【０００４】
オープンフロースイッチは、パケットを受信すると、フローテーブルから、受信パケットのヘッダ情報に適合するマッチングルール（図１１のヘッダフィールド参照）を持つエントリを検索する。検索の結果、受信パケットに適合するエントリが見つかった場合、オープンフロースイッチは、フロー統計情報（カウンタ）を更新するとともに、受信パケットに対して、該エントリのアクションフィールドに記述された処理内容（指定ポートからのパケット送信、フラッディング、廃棄等）を実施する。一方、検索の結果、受信パケットに適合するエントリが見つからなかった場合、オープンフロースイッチは、セキュアチャネルを介して、オープンフローコントローラに対して受信パケットを転送し、受信パケットの送信元・送信先に基づいたパケットの経路の決定を依頼し、これを実現するフローエントリを受け取ってフローテーブルを更新する。このように、オープンフロースイッチは、フローテーブルに格納されたエントリを処理規則として用いてパケット転送を行う。
【先行技術文献】
【特許文献】
【０００５】
【特許文献１】国際公開第２００８／０９５０１０号
【非特許文献】
【０００６】
【非特許文献１】Ｎｉｃｋ  ＭｃＫｅｏｗｎほか７名、“ＯｐｅｎＦｌｏｗ：  Ｅｎａｂｌｉｎｇ  Ｉｎｎｏｖａｔｉｏｎ  ｉｎ  Ｃａｍｐｕｓ  Ｎｅｔｗｏｒｋｓ，”［ｏｎｌｉｎｅ］、［平成２３年８月１６日検索］、インターネット〈ＵＲＬ：ｈｔｔｐ：／／ｗｗｗ．ｏｐｅｎｆｌｏｗｓｗｉｔｃｈ．ｏｒｇ／／ｄｏｃｕｍｅｎｔｓ／ｏｐｅｎｆｌｏｗ−ｗｐ−ｌａｔｅｓｔ．ｐｄｆ〉
【非特許文献２】“ＯｐｅｎＦｌｏｗ  Ｓｗｉｔｃｈ  Ｓｐｅｃｉｆｉｃａｔｉｏｎ”  Ｖｅｒｓｉｏｎ  １．１．０  Ｉｍｐｌｅｍｅｎｔｅｄ（Ｗｉｒｅ  Ｐｒｏｔｏｃｏｌ  ０ｘ０２）、［ｏｎｌｉｎｅ］、［平成２３年８月１６日検索］、インターネット〈ＵＲＬ：ｈｔｔｐ：／／ｗｗｗ．ｏｐｅｎｆｌｏｗｓｗｉｔｃｈ．ｏｒｇ／ｄｏｃｕｍｅｎｔｓ／ｏｐｅｎｆｌｏｗ−ｓｐｅｃ−ｖ１．１．０．ｐｄｆ〉
【発明の概要】
【発明が解決しようとする課題】
【０００７】
以下の分析は、本発明によって与えられたものである。
【０００８】
集中制御型のネットワークアーキテクチャにおいて、ネットワークを構成するスイッチやルータ等の機器は、機器を集中制御する制御装置（コントローラ）との間で、制御用の通信チャネルを確立する必要がある。
【０００９】
しかし、上述の文献（特許文献１、非特許文献１、２）には、制御用の通信チャネルを確立するために、制御装置のアドレスを調べる方法は、何ら記載されていない。上記の関連技術においては、例えば、スイッチやルータ等の機器は、機器に静的に設定された制御装置のアドレスに基づいて、制御用の通信チャネルを確立する。
【００１０】
また、将来、制御装置が制御する対象が、スイッチやルータのみならず、通信端末にも拡張される可能性がある。通信端末は、移動に伴い、アクセスするネットワークが変更される。ネットワークが変更される度、通信端末は、通信チャネルを確立する制御装置を変更する必要がある。しかし、上述の関連技術には制御装置のアドレスを調べる方法が記載されていないため、通信端末は、通信チャネルを確立する制御装置を変更することは困難である。
【００１１】
そこで、通信端末がアクセスするネットワークを変更した場合においても、ネットワークを集中制御する制御装置と通信端末との間で通信チャネルを確立できるようにすることが課題となる。本発明の目的は、かかる課題を解決する通信端末、通信システム、通信方法およびプログラムを提供することにある。
【課題を解決するための手段】
【００１２】
本発明の第１の視点に係る通信端末は、
パケットの処理方法を規定した処理規則を生成する制御装置を含むネットワークと通信する通信端末であって、
前記ネットワークとの間のコネクション生成を要求する際、前記制御装置のアドレスを要求する要求手段と、
前記アドレスの要求により取得したアドレスに基づいて、前記制御装置との間に通信チャネルを確立する通信手段と、
前記通信チャネルを介して前記制御装置から送信された処理規則に基づいて、パケットを処理する処理手段と、を備える。
【００１３】
本発明の第２の視点に係る通信方法は、
パケットの処理方法を規定した処理規則を生成する制御装置を含むネットワークと通信する通信端末による通信方法であって、
前記ネットワークとの間のコネクション生成を要求する際、前記制御装置のアドレスを要求し、
前記アドレスの要求により取得したアドレスに基づいて、前記制御装置との間に通信チャネルを確立し、
前記通信チャネルを介して前記制御装置から送信された処理規則に基づいて、パケットを処理する。
【００１４】
本発明の第３の視点に係る通信システムは、
パケットの処理方法を規定した処理規則を生成する制御装置を含むネットワークと、
前記ネットワークと通信する通信端末と、を備え、
前記通信端末は、前記ネットワークとの間のコネクション生成を要求する際、前記制御装置のアドレスを要求する要求手段と、
前記アドレスの要求により取得したアドレスに基づいて、前記制御装置との間に通信チャネルを確立する通信手段と、
前記通信チャネルを介して前記制御装置から送信された処理規則に基づいて、パケットを処理する処理手段と、をさらに備える。
【００１５】
本発明の第４の視点に係るプログラムは、
パケットの処理方法を規定した処理規則を生成する制御装置を含むネットワークと通信する通信端末に設けられたコンピュータに対して、
前記ネットワークとの間のコネクション生成を要求する際、前記制御装置のアドレスを要求する処理と、
前記アドレスの要求により取得したアドレスに基づいて、前記制御装置との間に通信チャネルを確立する処理と、
前記通信チャネルを介して前記制御装置から送信された処理規則に基づいて、パケットを処理する処理と、を実行させる。なお、プログラムは、非トランジエントなコンピュータ読み取り可能な記録媒体（ｎｏｎ−ｔｒａｎｓｉｅｎｔ  ｃｏｍｐｕｔｅｒ−ｒｅａｄａｂｌｅ  ｓｔｏｒａｇｅ  ｍｅｄｉｕｍ）に記録されたプログラム製品として提供されるようにしてもよい。
【発明の効果】
【００１６】
本発明によれば、通信端末は、アクセスするネットワークを変更しても、通信端末に制御装置のアドレスを再設定する等の操作を行うことなく、ネットワークを集中制御する制御装置との間で通信チャネルを確立することができる。
【図面の簡単な説明】
【００１７】
【図１】第１の実施形態に係る通信端末を有する通信システムの構成を一例として示すブロック図である。
【図２】第１の実施形態に係る通信端末の構成を一例として示すブロック図である。
【図３】第１の実施形態に係る通信端末の動作の一例について説明するための図である。
【図４】第１の実施形態に係る通信端末の動作を一例として示すシーケンス図である。
【図５】第１の実施形態に係る通信端末の動作を一例として示すシーケンス図である。
【図６】第４の実施形態に係る通信端末を有する通信システムの構成を一例として示すブロック図である。
【図７】第４の実施形態に係る通信システムの動作を一例として示すシーケンス図である。
【図８】第５の実施形態に係る通信端末を有する通信システムの構成を一例として示すブロック図である。
【図９】第５の実施形態に係る通信端末の動作を一例として示すシーケンス図である。
【図１０】第５の実施形態に係る通信端末の動作を一例として示すシーケンス図である。
【図１１】オープンフロースイッチに設けられたフローテーブルが保持する情報を一例として示す図である。
【発明を実施するための形態】
【００１８】
はじめに、本発明の概要を説明する。なお、この概要に付記する図面参照符号は、専ら理解を助けるための例示であり、本発明を図示の態様に限定することを意図するものではない。
【００１９】
図１および図２を参照すると、本発明の通信端末（１０１）は、パケットの処理方法を規定した処理規則を生成する制御装置（パケット転送制御装置５ａ）を含むネットワーク（通信サブシステムａ−２）と通信する通信端末（１０１）であって、通信サブシステムａ−２との間のコネクション生成を要求する際、制御装置（５ａ）のアドレスを要求する要求手段（要求部１０）と、前記アドレスの要求により取得したアドレスに基づいて、制御装置（５ａ）との間に通信チャネルを確立する通信手段（通信部１１）と、前記通信チャネルを介して制御装置（５ａ）から送信された処理規則に基づいて、パケットを処理する処理手段（処理部１２）と、を備える。
【００２０】
要求手段（１０）は、通信サブシステムａ−２との間のコネクション生成の要求に対する応答により、制御装置（５ａ）のアドレスを取得するようにしてもよい。
【００２１】
通信手段（１１）は、所定の条件に応じて、前記アドレスを解放するようにしてもよい。通信手段（１１）は、通信端末（１０１）が第１のネットワーク（通信ネットワークＡ）から第２のネットワーク（通信ネットワークＢ）に移動する際、前記アドレスを解放するようにしてもよい。また、通信手段（１１）は、通信端末（１０１）がネットワーク（Ａ）とのコネクションを切断する際、前記アドレスを解放するようにしてもよい。さらに、通信手段（１１）は、ネットワーク（Ａ）との間のコネクションの切断要因に応じて、前記アドレスを解放するか否かを判定するようにしてもよい。
【００２２】
処理手段（１２）は、所定の条件に応じて、制御装置（５ａ）から設定された少なくとも１つの処理規則を解放するようにしてもよい。処理手段（１２）は、通信端末（１０１）が第１のネットワーク（Ａ）から第２のネットワーク（Ｂ）に移動する際、第１のネットワーク（Ａ）に属する制御装置（５ａ）から設定された処理規則を解放するようにしてもよい。また、処理手段（１２）は、通信端末（１０１）がネットワーク（Ａ）とのコネクションを切断する際、ネットワーク（Ａ）に属する制御装置（５ａ）から設定された処理規則を解放するようにしてもよい。さらに、処理手段（１２）は、ネットワーク（Ａ）との間のコネクションの切断要因に応じて、前記処理規則を解放するか否かを判定するようにしてもよい。
【００２３】
要求手段（１０）は、通信端末（１０１）が前記アドレスを保持しているか否かを通知するようにしてもよい。要求手段（１０）は、通信端末（１０１）が前記アドレスを保持しているか否かを示す情報を、前記アドレスの要求に含めるようにしてもよい。また、要求手段（１０）は、通信端末（１００）が前記アドレスを保持している場合、前記アドレスの要求を抑止するようにしてもよい。
【００２４】
本発明に係る通信端末によると、通信端末がアクセスするネットワークを変更した場合においても、ネットワークを集中制御する制御装置と通信端末との間で通信チャネルを確立することが可能となる。
【００２５】
［実施形態１］
第１の実施形態に係る通信端末について、図面を参照して説明する。図１は、本実施形態に係る通信端末１０１の動作の一例について説明するための図である。なお、図１に記載されたシステムは、本発明の例を示すものであり、本発明が図１に記載されたシステムに限定されるものではない。通信端末１０１は、通信ネットワークＡまたはＢと通信する。通信ネットワークＡは、通信サブシステムａ−１とａ−２とを含む。一方、通信ネットワークＢは、通信サブステムｂ−１とｂ−２とを含む。
【００２６】
通信サブシステムａ−１は、ルータ装置２ａとゲートウェイ装置３ａを備え、通信サブシステムｂ−１は、ルータ装置２ｂとゲートウェイ装置３ｂを備える。ルータ装置２ａ、２ｂは、通信端末１０１との間で送受信されるパケットを転送する。ゲートウェイ装置３ａ、３ｂは、通信端末１０１と論理チャネルを構築し、通信サブシステムａ−１またはｂ−１と、通信端末１０１とを中継する。
【００２７】
通信サブシステムａ−２は、パケット転送装置４ａ、パケット転送制御装置５ａおよびサーバ装置６ａを備え、通信サブシステムｂ−２は、パケット転送装置４ｂ、パケット転送制御装置５ｂおよびサーバ装置６ｂを備える。
【００２８】
パケット転送制御装置５ａ、５ｂは、通信端末１０１および複数のパケット転送装置４ａ、４ｂによるパケットの転送等の処理を集中管理する。パケット転送制御装置５ａ、５ｂは、例えば、パケットの処理内容を規定した処理規則を通信端末１０１やパケット転送装置４ａまたは４ｂに対して設定することで、通信端末１０１およびパケット転送装置４ａまたは４ｂを制御する。処理規則は、例えば、当該処理規則に対応するパケットを識別するための照合規則と、該照合規則に適合するパケットに対して実行すべき処理方法を含む。なお、パケット転送制御装置５ａ、５ｂが通信端末１０１やパケット転送装置４ａまたは４ｂを制御する方式は、上記の方式に限られるものではない。
【００２９】
パケット転送装置４ａ、４ｂは、例えば、パケット転送制御装置５ａまたは５ｂから設定された処理規則を保持するテーブルを備える。パケット転送装置４ａ、４ｂは、個々のパケットに対応する処理規則をテーブルから検索する。パケット転送装置４ａ、４ｂは、パケットに含まれる情報（例えば、パケットのヘッダ情報）と合致する照合規則を含む処理規則を、テーブルから検索する。パケット転送装置４ａ、４ｂは、パケットに含まれる情報に合致する識別条件を含む処理規則が検索された場合、その処理規則に規定されたパケットの処理方法に基づいて、パケットを処理する。なお、パケット転送装置４ａ、４ｂがパケットを処理する方式は、上記の方式に限られるものではない。
【００３０】
サーバ装置６ａ、６ｂは、Ｗｅｂサービス等の所定のサービスを提供する。サーバ装置６ａ、６ｂが提供するサービスはＷｅｂサービスに限定されるものではなく、サーバ装置６ａ、６ｂは、様々なサービスを提供することが可能である。パケット転送制御装置５ａ、５ｂは、例えば、通信端末１０１やパケット転送装置４ａまたは４ｂを制御し、サーバ装置６ａまたは６ｂと通信端末１０１との間の通信経路を設定する。
【００３１】
図２は、本実施形態における通信端末１０１の構成を一例として示すブロック図である。通信端末１０１は、例えば、要求部１０、通信部１１、処理部１２および処理規則記憶部１３を有する。通信端末１０１は、モバイル端末、パーソナルコンピュータ、モバイルルータ等の通信機能を備える端末である。詳細は後述するが、通信端末１０１は、パケット転送装置４ａ、４ｂと同様に、パケット転送制御装置５ａまたは５ｂにより制御される。そのため、通信端末１０１は、パケット転送制御装置５ａまたは５ｂと通信して処理規則を受信する等の機能を備える。通信端末１０１がパケット転送制御装置５ａまたは５ｂと通信するためには、通信装置１０１がパケット転送制御装置５ａまたは５ｂのアドレスを認識する必要がある。以下、通信端末１０１が、パケット転送制御装置５ａのアドレスを取得する動作例を説明する。
【００３２】
要求部１０は、通信ネットワークＡに対して、通信サブシステムａ−２と通信をするためのコネクション（即ち、論理チャネル）の生成を要求する。論理チャネルは、例えば、無線制御局と移動局との間の無線区間で確立されるベアラ、ＶＰＮ（Ｖｉｒｔｕａｌ  Ｐｒｉｖａｔｅ  Ｎｅｔｗｏｒｋ）トンネル等のトンネリングされたコネクション等である。要求部１０は、論理チャネルの生成要求と併せて、通信ネットワークＡに対して、パケット転送制御装置５ａのアドレス（ＩＰアドレス等）を要求する。
【００３３】
要求部１０は、通信ネットワークＡから、パケット転送制御装置５ａのアドレスが通知されると、例えば、通知されたアドレスを通信部１１に設定する。例えば、ゲートウェイ装置３ａが、要求部１０の要求に対してパケット転送制御装置５ａのアドレスを通知する。ゲートウェイ装置３ａは、例えば、パケット転送制御装置５ａのアドレスを予め保持しており、要求部１０からの要求に応じて、アドレスを通知する。なお、ゲートウェイ装置３ａは、論理チャネルの生成要求に対する応答に併せて、パケット転送制御装置５ａのアドレスを通知する。
【００３４】
通信部１１は、取得したアドレスに基づいて、パケット転送制御装置５ａとの間で制御用の通信チャネルを確立する。通信部１１は、所定の方法により、制御用の通信チャネルとして、セキュアなコネクションを確立する。通信部１１は、制御用の通信チャネルを介して、パケット転送制御装置５ａから処理規則を受信する。また、通信部１１は、制御用の通信チャネルを介して、パケット転送制御装置５ａに対して、処理規則の設定を要求する。通信部１１は、パケット転送制御装置５ａから受信した処理規則を、処理規則記憶部１３に格納する。
【００３５】
処理部１２は、通信ネットワークＡまたはＢとの間でパケットを送受信する際、そのパケットに対応する処理規則を処理規則記憶部１３から検索する。処理部１２は、パケットに対応する処理規則が処理規則記憶部１３に格納されていた場合、パケットに対応する処理規則に対応する処理を実行する。一方、処理部１２は、パケットに対応する処理規則が処理規則記憶部１３に格納されていなかった場合、例えば、制御用の通信チャネルを介して、パケット転送制御装置５ａに処理規則の設定を要求する。なお、処理部１２は、例えば、上述した関連技術であるオープンフロースイッチをソフトウェアにより仮想化したモジュールである。
【００３６】
図３は、処理規則記憶部１３に格納されている処理規則の例を示す。処理規則は、例えば、個々のパケットが処理規則に適合するかを照合するための照合規則と、パケットの処理方法とを含む。図３は、照合規則の例として、“フロー＃Ａ”、“フロー＃Ｂ”を示している。“フロー”とは、パケットの宛先アドレスや送信元アドレス等の所定の情報やそれらの情報の組み合わせにより特定される一連のパケット群を意味する。よって、例えば、“フロー＃Ａ”とは、パケットの送信先アドレスが“Ａ”であり、かつ、パケットの送信元アドレスが“ａ”であるパケットであれば、照合規則に適合することを意味する。照合規則に適合するパケットは、その照合規則に対応する処理方法により処理される。
【００３７】
通信部１１は、通信ネットワークとのコネクションを解放する際、パケット転送制御装置５のアドレスも解放してもよい。
【００３８】
次に、図４および５を参照し、本実施形態に係る通信端末１０１の動作を説明する。なお、図４および５に記載された動作は例示であり、本実施形態に係る通信端末１０１の動作が、図４および５に記載されたものに限定されるものではない。
【００３９】
図４および５は、図１に示したように、通信端末１０１が、通信ネットワークＡと通信を行った後に、通信ネットワークＡから通信ネットワークＢにローミングする場合の動作例を示す。
【００４０】
図４を参照すると、通信端末１０１は、通信ネットワークＡと通信する際、論理チャネルの生成を要求する。通信端末１０１は、例えば、通信ネットワークＡのゲートウェイ装置３ａに対して、論理チャネルの生成を要求する。
【００４１】
通信端末１０１は、論理チャネルの生成要求と併せて、通信ネットワークＡに属するパケット転送制御装置５ａのアドレスを要求する。ゲートウェイ装置３ａは、論理チャネルの生成応答を介して、アドレス要求の応答として、パケット転送制御装置５ａのアドレスを通信端末１０１に通知する。
【００４２】
通信端末１０１は、通知されたアドレスに基づいて、パケット転送制御装置５ａとの間で制御用の通信チャネルを構築する。
【００４３】
通信端末１０１は、例えば、制御用の通信チャネルを介してパケット転送制御装置５ａから受信した処理規則に基づいて、通信ネットワークＡに属するサーバ装置６ａとデータ通信を行う。
【００４４】
通信端末１０１は、データ通信の終了した場合等の所定のタイミングで、通信ネットワークＡとの間で確立した論理チャネルを解放する。図４の例では、通信端末１０１は、通信ネットワークＡから通信ネットワークＢにローミングする際に、論理チャネルを解放している。なお、通信端末１０１は、論理チャネルの解放と併せて、パケット転送制御装置５ａのアドレスを解放してもよい。
【００４５】
図５は、通信端末１０１が通信ネットワークＢにローミングした後の動作例を示す。通信装置１０１は、通信ネットワークＢに属するゲートウェイ装置３ｂ、パケット転送制御装置５ｂおよびサーバ装置６ｂとの間で、図４を参照して説明した動作例と同様の動作を実行する。
【００４６】
本発明によれば、通信端末は、アクセスするネットワークを変更しても、通信端末にコントローラのアドレスを再設定する等の操作を行うことなく、ネットワークを集中制御するコントローラとの間で通信チャネルを確立することができる。
【００４７】
なお、本実施形態は、パケット転送装置４ａ、４ｂやパケット転送制御装置５ａ、５ｂを、オープンフロー技術に基づいて実装することも可能である。但し、パケット転送装置４ａ、４ｂやパケット転送制御装置５ａ、５ｂは、オープンフロー以外の技術によっても実装することも可能である。
【００４８】
［実施形態２］
次に、第２の実施形態に係る通信端末について説明する。本実施形態の通信端末は、第１の実施形態に係る通信端末１０１の変形例である。
【００４９】
通信部１１は、所定の条件に応じて、パケット転送制御装置５ａまたは５ｂのアドレスを解放してもよい。本実施形態では、通信部１１がアドレスを解放する例をいくつか例示する。但し、以下は例示であり、通信部１１がアドレスを解放する方式は、以下の例に限定されるものではない。また、通信部１１は、アドレスを解放しなくてもよい。
【００５０】
通信部１１は、通信端末１０１が通信ネットワークＡから通信ネットワークＢにローミングする際に、パケット転送制御装置５ａのアドレスを解放する。通信ネットワークＡに属するパケット転送制御装置５ａは、通信端末１０１が通信ネットワークＢのローミングした場合、通信端末１０１にとって適切なパケット転送制御装置ではなくなる可能性がある。通信端末１０１は、通信ネットワークＢにローミングするならば、通信ネットワークＢに属するパケット転送制御装置５ｂと通信するほうが、通信ネットワークＢに適した制御ができる可能性がある。したがって、通信部１１は、ローミングにより別の通信ネットワークと通信する際、保持しているパケット転送制御装置のアドレスを解放する。アドレスを解放することにより、通信部１１がローミング元の通信ネットワークＡに属するパケット転送制御装置５ａから処理規則が設定され、通信端末１０１が、ローミング先の別の通信ネットワークＢに適さない処理規則を実行することを防止することができる。
【００５１】
なお、通信ネットワークＡからＢにローミングする際に、通信部１１が通信ネットワークＡに属するパケット転送制御装置５ａのアドレスを解放する例を示したが、処理部１２が、処理規則記憶部１３に設定されている、通信ネットワークＡのパケット転送制御装置５ａから設定された処理規則を解放するようにしてもよい。
【００５２】
通信部１１は、接続している通信ネットワークとのコネクションが切断された際に、保持しているアドレスを解放してもよい。通信ネットワークとのコネクションが切断された場合、通信端末１０１は、通信品質の劣化等が原因で、別の通信ネットワークに接続することが想定される。そこで、通信ネットワークＡとのコネクションが切断された場合に、通信部１１がパケット転送制御装置５ａのアドレスを解放することで、通信部１１がローミング元の通信ネットワークＡに属するパケット転送制御装置５ａから処理規則が設定され、通信端末１０１が、ローミング先の別の通信ネットワークＢに適さない処理規則を実行することを防止することができる。
【００５３】
なお、通信ネットワークＡとのコネクションが切断された場合に、通信部１１がパケット転送制御装置５ａのアドレスを解放する例を示したが、処理部１２が、コネクション切断前に接続していた通信ネットワークＡに属するパケット転送制御装置５ａから設定された処理規則を解放するようにしてもよい。
【００５４】
通信部１１は、接続している通信ネットワークＡとのコネクションが切断された際に、コネクション切断の要因に基づいて、パケット転送制御装置５ａのアドレスを解放するか否かを判定してもよい。例えば、コネクションが切断された後、通信端末１０１は、同じ通信ネットワークＡへの接続を再試行する。再接続が可能なレベルで同じ通信ネットワークＡからの無線電波が受信できた場合、通信端末１０１は、一時的に無線ネットワークのカバレッジホールに入ってしまったことにより、コネクションが切断されたものと認識できる。この場合、通信端末１０１は、同じ通信ネットワークＡに再接続できる可能性があるので、パケット転送制御装置５ａのアドレスは解放しなくてもよい。
【００５５】
通信端末１０１が、地下に入るなど、無線ネットワークの基地局からの距離が離れたことにより、再接続が可能なレベルで同じ通信ネットワークＡからの無線電波が一定期間受信できない場合、通信端末１０１は、長時間通信不可能な期間が続くことが想定できる。このような場合、通信端末１０１は、パケット転送制御装置５ａのアドレスを解放してもよい。
【００５６】
なお、コネクション切断の要因に基づいて、通信部１１がパケット転送制御装置５ａのアドレスを解放するか否かを判定する例を示したが、処理部１２が、コネクション切断前に接続していた通信ネットワークＡに属するパケット転送制御装置５ａから設定された処理規則を解放するか否かを判定してもよい。
【００５７】
［実施形態３］
第３の実施形態に係る通信端末について説明する。本実施形態の通信端末は、第１の実施形態に係る通信端末の変形例である。
【００５８】
上述した第１の実施形態において、要求部１０は、パケット転送制御装置５ａのアドレスを要求する例を説明した。本実施形態において、要求部１０は、通信ネットワークＡとの間の論理チャネルの生成要求と併せて、通信端末１０１がパケット転送制御装置５ａのアドレスを保持しているか否かを示す情報を送信する。なお、通信端末１０１がパケット転送制御装置５ａのアドレスを保持しているか否かを示す情報は、例えば、アドレスを保持しているか否かを示すフラグを有する。
【００５９】
このような構成によれば、ゲートウェイ装置３ａは、論理チャネルの生成要求に対して応答する際、通信端末１０１がパケット転送制御装置５ａのアドレスを保持していない場合に、パケット転送制御装置５ａのアドレスを通信端末１０１に通知すればよい。このとき、論理チャネルの生成要求に対して応答において送信する情報量を削減することができる。
【００６０】
なお、要求部１０は、通信端末１０１がパケット転送制御装置５ａのアドレスを保持している場合、パケット転送制御装置５ａのアドレスの要求自体を抑止してもよい。
【００６１】
［実施形態４］
第４の実施形態に係る通信端末について、図面を参照して説明する。
【００６２】
本実施形態では、本発明を３Ｇネットワークで実施した場合の例を示す。
【００６３】
図６は、本実施形態のシステム構成例を示す。なお、図６に記載された構成は例示であり、本発明が図６に記載された構成に限定されるものではない。
【００６４】
通信端末１０４が通信する通信ネットワークは、モバイル網とデータセンターを含む。モバイル網は、ＵＴＲＡＮ２０、ＳＧＳＮ３０およびＧＧＳＮ４０を含む。データセンターは、パケット転送装置４、パケット転送制御装置５およびサーバ装置６を含む。
【００６５】
ＵＴＲＡＮ（ＵＭＴＳ  Ｔｅｒｒｅｓｔｒｉａｌ  Ｒａｄｉｏ  Ａｃｃｅｓｓ  Ｎｅｔｗｏｒｋ）２０は、基地局とＲＮＣ（Ｒａｄｉｏ  Ｎｅｔｗｏｒｋ  Ｃｏｎｔｒｏｌｌｅｒ）とを備えた無線ネットワークである。ＵＴＲＡＮ２０は、通信端末１０４とコアネットワークとの間を接続する無線ネットワークである。コアネットワークは、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）等の３Ｇ通信規格に準拠する通信端末１０４を、インターネット等の外部ネットワークに接続する。
【００６６】
ＳＧＳＮ（Ｓｅｒｖｉｎｇ  ＧＰＲＳ  Ｓｕｐｐｏｒｔ  Ｎｏｄｅ）３０は、上述したコアネットワークの一部である。ＳＧＳＮ３０は、通信端末１０４のパケット通信のルーティング、通信端末１０４のモビリティ管理（無線通信ネットワークとのアタッチ／デタッチ、位置管理等）、通信端末１０４とネットワークとの間の論理チャネルの管理、認証処理等を実行する。
【００６７】
ＧＧＳＮ（Ｇａｔｅｗａｙ  ＧＰＲＳ  Ｓｕｐｐｏｒｔ  Ｎｏｄｅ）４０は、上述したコアネットワークの一部である。ＧＧＳＮ４０は、外部のパケット通信ネットワークとの通信を中継する。図６の例では、ＧＧＳＮ４０は、データセンターとの通信を中継する。
【００６８】
パケット転送装置４、パケット転送制御装置５およびサーバ装置６は、上述した第１の実施形態と同様であることから、説明を省略する。
【００６９】
図７を参照し、本実施形態に係る通信端末１０４の動作例を説明する。なお、図７に記載された動作は例示であり、本発明が図７に記載された動作に限定されるものではない。
【００７０】
通信端末１０４は、ＵＴＲＡＮ２０を介して、通信端末１０４が属している無線ネットワークのＳＧＳＮ３０に対して、“Ａｃｔｉｖｅ  ＰＤＰ（Ｐａｃｋｅｔ  Ｄａｔａ  Ｐｒｏｔｏｃｏｌ）  Ｃｏｎｔｅｘｔ  Ｒｅｑｕｅｓｔ”メッセージを送信する。なお、ＰＤＰコンテキストとは、３Ｇ通信規格におけるパケットデータネットワークにおいて、通信端末１０４からＧＧＳＮまでの論理的なパケット転送パスのパス設定の状態情報である。このメッセージは、通信端末１０４が接続を要求する接続先のＩＳＰ（Ｉｎｔｅｒｎｅｔ  Ｓｅｒｖｉｃｅ  Ｐｒｏｖｉｄｅｒ）のＡＰＮ（Ａｃｃｅｓｓ  Ｐｏｉｎｔ  Ｎａｍｅ）を含む。ＡＰＮは、ＩＳＰの識別情報として使われる。なお、本実施形態において、通信端末１０４は、図６のデータセンターとの接続を要求しており、このデータセンターがＩＳＰに相当する。本実施形態において、通信端末１０４は、Ａｃｔｉｖｅ  ＰＤＰ  Ｃｏｎｔｅｘｔ  Ｒｅｑｕｅｓｔメッセージに、パケット転送制御装置５のアドレスの取得要求を含めて送信する。ＳＧＳＮ３０は、Ａｃｔｉｖｅ  ＰＤＰ  Ｃｏｎｔｅｘｔ  Ｒｅｑｕｅｓｔを受信すると、そのメッセージに含まれるＡＰＮに基づいて、接続すべきＧＧＳＮ４０を決定する。ＳＧＳＮ３０は、ＧＧＳＮ４０に対して、Ｃｒｅａｔｅ  ＰＤＰ  Ｃｏｎｔｅｘｔ  Ｒｅｑｕｅｓｔメッセージを送信する。
【００７１】
ＧＧＳＮ４０は、Ｃｒｅａｔｅ  ＰＤＰ  Ｃｏｎｔｅｘｔ  Ｒｅｑｕｅｓｔを受信すると、通信端末１０４とＩＳＰとを接続するための所定の処理（例えば、ＰＤＰコンテキストの生成）を実行する。ＧＧＳＮ４０は、生成したＰＤＰコンテキストを、Ｃｒｅａｔｅ  ＰＤＰ  Ｃｏｎｔｅｘｔ  ＲｅｓｐｏｎｓｅメッセージとしてＳＧＳＮ３０に返信する。なお、本実施形態において、ＧＧＳＮ４０は、Ｃｒｅａｔｅ  ＰＤＰ  Ｃｏｎｔｅｘｔ  Ｒｅｓｐｏｎｓｅに、パケット転送制御装置５のアドレスを含めて、ＳＧＳＮ３０に返信する。ＧＧＳＮ４０は、例えば、事前にパケット転送制御装置５と通信してアドレスを取得する等の手順により、パケット転送制御装置５のアドレスを保持している。
【００７２】
ＳＧＳＮ３０は、Ｃｒｅａｔｅ  ＰＤＰ  Ｃｏｎｔｅｘｔ  Ｒｅｓｐｏｎｓｅを受信し、通信端末１０４と通信ネットワークとの間に、パケット転送を実行するための論理チャネルを設定する（Ｒａｄｉｏ  Ａｃｃｅｓｓ  Ｂｅａｒｅｒ  Ｓｅｔｕｐ）。ＳＧＳＮ３０は、通信端末１０４に対して、Ａｃｔｉｖｅ  ＰＤＰ  Ｃｏｎｔｅｘｔ  Ａｃｃｅｐｔメッセージを返信する。ＳＧＳＮ３０は、このメッセージに、パケット転送制御装置５のアドレスを含めて、通信端末１０４に送信する。
【００７３】
上記の動作により、通信端末１０４は、データセンターと通信を実行する。通信端末１０４は、取得したパケット転送制御装置５のアドレスに基づいて、パケット転送制御装置５との間に、制御用の通信チャネルを設定する。パケット転送制御装置５は、この制御用の通信チャネルを介して、通信端末１０４に所定の処理規則を設定する。
【００７４】
［実施形態５］
本発明の第５の実施形態に係る通信端末について、図面を参照して説明する。
【００７５】
本実施形態では、本発明をＬＴＥ（Ｌｏｎｇ  Ｔｅｒｍ  Ｅｖｏｌｕｔｉｏｎ）ネットワークで実施した場合の例を示す。
【００７６】
図８は、本実施形態のシステム構成例を示す。なお、図８に記載された構成は例示であり、本発明が図８に記載された構成に限定されるものではない。
【００７７】
通信端末１０５が通信する通信ネットワークは、モバイル網とデータセンターを含む。モバイル網は、ｅＮｏｄｅＢ２００、Ｓｅｒｖｉｎｇ  ＧＷ（Ｇａｔｅｗａｙ）３００、ＭＭＥ（Ｍｏｂｉｌｉｔｙ  Ｍａｎａｇｅｍｅｎｔ  Ｅｎｔｉｔｙ）４００およびＰＤＮ（Ｐａｃｋｅｔ  Ｄａｔａ  Ｎｅｔｗｏｒｋ）  ＧＷ５００を含む。データセンターは、パケット転送装置４、パケット転送制御装置５およびサーバ装置６を含む。
【００７８】
ｅＮｏｄｅＢ２００は、通信端末１０５と無線ネットワークとのインターフェースとなる。また、ｅＮｏｄｅＢ２００は、無線リソース管理、無線リソースのスケジューリング等の機能を有する。
【００７９】
Ｓｅｒｖｉｎｇ  ＧＷ３００は、データパケットをルーティングして転送する。
【００８０】
ＭＭＥ４００は、ＬＴＥネットワークにおけるコントロールノードである。通信端末１０５の位置登録や、呼出、ｅＮｏｄｅＢ２００間のハンドオーバーなどのモビリティ管理を実行する。
【００８１】
ＰＤＮ  ＧＷ５００は、外部ネットワークとのゲートウェイとして機能する。例えば、図８のＬＴＥネットワークにおいては、ＰＤＮ  ＧＷ５００はモバイル網とデータセンターとのゲートウェイとして機能する。
【００８２】
図９を参照し、本実施形態に係る通信端末１０５の動作例を説明する。なお、図９に記載された動作は例示であり、本発明の動作が図９に記載された動作に限定されるものではない。
【００８３】
通信端末１０５は、ＭＭＥ４００に対して、“Ａｔｔａｃｈ  Ｒｅｑｕｅｓｔ”を送信する。“Ａｔｔａｃｈ  Ｒｅｑｕｅｓｔ”により、通信端末１０５は、ＭＭＥ４００が管理するモバイル網に接続することを要求する。通信端末１０５は、“Ａｔｔａｃｈ  Ｒｅｑｕｅｓｔ”に、パケット転送制御装置５のアドレス要求を含める。
【００８４】
“Ａｔｔａｃｈ  Ｒｅｑｕｅｓｔ”を受信すると、ＭＭＥ４００は、Ｓｅｒｖｉｎｇ  ＧＷ３００に対して、セッション生成要求（Ｃｒｅａｔｅ  Ｓｅｓｓｉｏｎ  Ｒｅｑｕｅｓｔ）を送信する。ＭＭＥ４００は、セッション生成要求に、パケット転送制御装置５のアドレス要求を含める。
【００８５】
Ｓｅｒｖｉｎｇ  ＧＷ３００は、受信したセッション生成要求を、ＰＤＮ  ＧＷ５００に転送する。
【００８６】
ＰＤＮ  ＧＷ５００は、セッション生成要求を受け、ベアラ・コンテキスト（Ｂｅａｒｅｒ  Ｃｏｎｔｅｘｔ）を生成し、セッション生成応答（Ｃｒｅａｔｅ  Ｓｅｓｓｉｏｎ  Ｒｅｓｐｏｎｓｅ）を、Ｓｅｒｖｉｎｇ  ＧＷ３００を介してＭＭＥ４００に送信する。ＰＤＮ  ＧＷ５００は、Ｃｒｅａｔｅ  Ｓｅｓｓｉｏｎ  Ｒｅｓｐｏｎｓｅに、パケット転送制御装置５のアドレスを含める。ＰＤＮ  ＧＷ５００は、例えば、事前にパケット転送制御装置５と通信する等の処理により、パケット転送制御装置５のアドレスを取得し、管理している。
【００８７】
ＭＭＥ４００は、ｅＮｏｄｅＢ２００に、ＰＤＮ  ＧＷ５００から受信したＣｒｅａｔｅ  Ｓｅｓｓｉｏｎ  Ｒｅｓｐｏｎｓｅに含まれるベアラ・コンテキストに基づいて、通信端末１０５との間で無線通信の設定をするように要求する（Ｉｎｉｔｉａｌ  Ｃｏｎｔｅｘｔ  Ｓｅｔｕｐ  Ｒｅｑｕｅｓｔ）。ＭＭＥ４００は、Ｉｎｉｔｉａｌ  Ｃｏｎｔｅｘｔ  Ｓｅｔｕｐ  Ｒｅｑｕｅｓｔの中に、Ａｔｔａｃｈ  Ａｃｃｅｐｔメッセージを含める。このＡｔｔａｃｈ  Ａｃｃｅｐｔメッセージの中には、パケット転送制御装置５のアドレスが含まれている。
【００８８】
ｅＮｏｄｅＢ２００は、通信端末１０５に対して、無線通信の設定を要求する（ＲＲＣ  Ｃｏｎｎｅｃｔｉｏｎ  Ｒｅｃｏｎｆｉｇｕｒａｔｉｏｎ）。なお、ｅＮｏｄｅＢ２００は上記の要求に、ＭＭＥ４００から受信したＡｔｔａｃｈ  Ａｃｃｅｐｔメッセージを含めることにより、通信端末１０５に、パケット転送制御装置５のアドレスを通知する。
【００８９】
通信端末１０５は、要求に基づいて、無線通信の設定が完了したことを通知する（ＲＲＣ  Ｃｏｎｎｅｃｔｉｏｎ  Ｒｅｃｏｎｆｉｇｕｒａｔｉｏｎ  Ｃｏｍｐｌｅｔｅ）。通信端末１０５は、無線通信の設定により、パケット転送制御装置５のアドレスを設定する。
【００９０】
ｅＮｏｄｅＢ２００は、無線通信の設定が完了したことをＭＭＥ４００に通知する（Ｉｎｉｔｉａｌ  Ｃｏｎｔｅｘｔ  Ｓｅｔｕｐ  Ｒｅｓｐｏｎｓｅ）。
【００９１】
次に、通信端末１０５は、モバイル網への接続が成功したことをＭＭＥ４００に通知する（Ａｔｔａｃｈ  Ｃｏｍｐｌｅｔｅ）。
【００９２】
上記の手順により、通信端末１０５はモバイル網に接続するための論理チャネルを確立すると共に、パケット転送制御装置５のアドレスを取得する。
【００９３】
次に、図１０を参照して、本実施形態に係る通信端末１０５の他の動作例を説明する。なお、図１０に示した動作は例示であり、本発明の動作は図１０に記載された動作に限定されるものではない。
【００９４】
図１０に記載された動作は、図９に記載された動作により通信端末１０５が無線ネットワークに接続された後の動作である。図９では、通信端末１０５は、“Ａｔｔａｃｈ  Ｒｅｑｕｅｓｔ”に、パケット転送制御装置５のアドレス要求を含める動作を行う。ただし、通信端末１０５は、“Ａｔｔａｃｈ  Ｒｅｑｕｅｓｔ”にパケット転送制御装置５のアドレス要求を含めるのではなく、図１０に示す動作においてアドレス要求を行ってもよい。
【００９５】
通信端末１０５は、ＭＭＥ４００に対して、ｅＮｏｄｅＢ２００を介して“ＰＤＮ  Ｃｏｎｎｅｃｔｉｖｉｔｙ  Ｒｅｑｕｅｓｔ”メッセージを送信する。“ＰＤＮ  Ｃｏｎｎｅｃｔｉｖｉｔｙ  Ｒｅｑｕｅｓｔ”は、図９の動作において、通信端末１０５とモバイル網との間で確立した論理チャネルとは別の論理チャネルの確立を要求するメッセージである。
【００９６】
通信端末１０５は、“ＰＤＮ  Ｃｏｎｎｅｃｔｉｖｉｔｙ  Ｒｅｑｕｅｓｔ”に、パケット転送制御装置５のアドレス要求を含める。
【００９７】
“ＰＤＮ  Ｃｏｎｎｅｃｔｉｖｉｔｙ  Ｒｅｑｕｅｓｔ”を受信すると、ＭＭＥ４００は、Ｓｅｒｖｉｎｇ  ＧＷ３００に対して、セッション生成要求（Ｃｒｅａｔｅ  Ｓｅｓｓｉｏｎ  Ｒｅｑｕｅｓｔ）を送信する。ＭＭＥ４００は、セッション生成要求に、パケット転送制御装置５のアドレス要求を含める。
【００９８】
Ｓｅｒｖｉｎｇ  ＧＷ３００は、受信したセッション生成要求を、ＰＤＮ  ＧＷ５００に転送する。
【００９９】
ＰＤＮ  ＧＷ５００は、セッション生成要求を受け、ベアラ・コンテキスト（Ｂｅａｒｅｒ  Ｃｏｎｔｅｘｔ）を生成し、セッション生成応答（Ｃｒｅａｔｅ  Ｓｅｓｓｉｏｎ  Ｒｅｓｐｏｎｓｅ）を、Ｓｅｒｖｉｎｇ  ＧＷ３００を介してＭＭＥ４００に送信する。ＰＤＮ  ＧＷ５００は、Ｃｒｅａｔｅ  Ｓｅｓｓｉｏｎ  Ｒｅｓｐｏｎｓｅに、パケット転送制御装置５のアドレスを含める。ＰＤＮ  ＧＷ５００は、例えば、事前にパケット転送制御装置５と通信する等の処理により、パケット転送制御装置５のアドレスを取得し、管理している。
【０１００】
ＭＭＥ４００は、ｅＮｏｄｅＢ２００に、ＰＤＮ  ＧＷ５００から受信したＣｒｅａｔｅ  Ｓｅｓｓｉｏｎ  Ｒｅｓｐｏｎｓｅに含まれるベアラ・コンテキストに基づいて、通信端末１０５との間で無線通信の設定をするように要求する（Ｂｅａｒｅｒ  Ｓｅｔｕｐ  Ｒｅｑｕｅｓｔ）。ＭＭＥ４００は、Ｂｅａｒｅｒ  Ｓｅｔｕｐ  Ｒｅｑｕｅｓｔの中に、ＰＤＮ  Ｃｏｎｎｅｃｔｉｖｉｔｙ  Ａｃｃｅｐｔメッセージを含める。このＰＤＮ  Ｃｏｎｎｅｃｔｉｖｉｔｙ  Ａｃｃｅｐｔメッセージの中には、パケット転送制御装置５のアドレスが含まれている。
【０１０１】
ｅＮｏｄｅＢ２００は、通信端末１０５に対して、無線通信の設定を要求する（ＲＲＣ  Ｃｏｎｎｅｃｔｉｏｎ  Ｒｅｃｏｎｆｉｇｕｒａｔｉｏｎ）。なお、ｅＮｏｄｅＢ２００は上記の要求に、ＭＭＥ４００から受信したＰＤＮ  Ｃｏｎｎｅｃｔｉｖｉｔｙ  Ａｃｃｅｐｔメッセージを含めることにより、通信端末１０５に、パケット転送制御装置５のアドレスを通知する。
【０１０２】
通信端末１０５は、要求に基づいて、無線通信の設定が完了したことを通知する（ＲＲＣ  Ｃｏｎｎｅｃｔｉｏｎ  Ｒｅｃｏｎｆｉｇｕｒａｔｉｏｎ  Ｃｏｍｐｌｅｔｅ）。通信端末１０５は、無線通信の設定により、パケット転送制御装置５のアドレスを設定する。
【０１０３】
ｅＮｏｄｅＢ２００は、無線通信の設定が完了したことをＭＭＥ４００に通知する（Ｂｅａｒｅｒ  Ｓｅｔｕｐ  Ｒｅｓｐｏｎｓｅ）。
【０１０４】
次に、通信端末１０５は論理チャネルの構築が成功したことをＭＭＥ４００に通知する（ＰＤＮ  Ｃｏｎｎｅｃｔｉｖｉｔｙ  Ｃｏｍｐｌｅｔｅ）。
【０１０５】
上記の手順により、通信端末１０５はモバイル網に接続するための論理チャネルを確立すると共に、パケット転送制御装置５のアドレスを取得する。
【０１０６】
以上、本発明の各実施形態を説明したが、本発明は、上記した実施形態に限定されるものではなく、更なる変形・置換・調整を加えることができる。
【０１０７】
なお、上記の特許文献および非特許文献の各開示を、本書に引用をもって繰り込むものとする。本発明の全開示（請求の範囲を含む）の枠内において、さらにその基本的技術思想に基づいて、実施形態の変更・調整が可能である。また、本発明の請求の範囲の枠内において種々の開示要素（各請求項の各要素、各実施例の各要素、各図面の各要素等を含む）の多様な組み合わせ、ないし選択が可能である。すなわち、本発明は、請求の範囲を含む全開示、技術的思想にしたがって当業者であればなし得る各種変形、修正を含むことは勿論である。
【符号の説明】
【０１０８】
２ａ、２ｂ    ルータ装置
３ａ、３ｂ    ゲートウェイ装置
４、４ａ、４ｂ    パケット転送装置
５、５ａ、５ｂ    パケット転送制御装置
６、６ａ、６ｂ    サーバ装置
１０    要求部
１１    通信部
１２    処理部
１３    処理規則記憶部
２０    ＵＴＲＡＮ
３０    ＳＧＳＮ
４０    ＧＧＳＮ
１０１、１０４、１０５    通信端末
２００    ｅＮｏｄｅＢ
３００    Ｓｅｒｖｉｎｇ  ＧＷ
４００    ＭＭＥ
５００    ＰＤＮ  ＧＷ
Ａ、Ｂ    通信ネットワーク
ａ−１、ａ−２、ｂ−１、ｂ−２    通信サブシステム
【図１】
2014531780.tif 000003
【図２】
2014531780.tif 000004
【図３】
2014531780.tif 000005
【図４】
2014531780.tif 000006
【図５】
2014531780.tif 000007
【図６】
2014531780.tif 000008
【図７】
2014531780.tif 000009
【図８】
2014531780.tif 000010
【図９】
2014531780.tif 000011
【図１０】
2014531780.tif 000012
【図１１】
2014531780.tif 000013
【国際調査報告】
2014531780.tif 000014
2014531780.tif 000015
2014531780.tif 000016